(57)【要約】【課題】ルーフトリム等のトリム材と一体感を醸し出すべく工夫したコンソールボックス構造を提供する。【解決手段】自動車のルーフ或いはドア等の車室側を美装するトリム材３に小物等を収容すべく設置するコンソールボックス構造において、トリム材３に切欠き部４を刻設することによって、トリム材３の一部をその残部に連結されたまま形成されたヒンジ部５を有する蓋体２に形成する。蓋体２によって形成された開口部３ａにボックス本体１を設置し、ボックス本体１の周部に略コ字状の取付け枠部６を形成し、取付け枠部６を蓋体２のヒンジ部５を除く外周部を縁取りするように蓋体２に装着して、蓋体２と共にボックス本体１を、開口部３ａを出入りできるように揺動可能に支持させ、蓋体２をトリム材３の一部により構成してトリム材３との一体感を施した。【選択図】　図４
2004017794.tif 000002
【特許請求の範囲】
【請求項１】
自動車の車室側を美装するトリム材に小物等を収容すべく設置するコンソールボックス構造において、
前記トリム材に切欠き部を刻設することによって、前記トリム材の一部を該トリム材の残部に連結されたまま形成されたヒンジ部を有する蓋体に形成すると共に、
前記蓋体によって形成された前記トリム材の開口部にボックス本体を設置し、
且つ、該ボックス本体の周部に取付け枠部を形成し、該取付け枠部を、前記蓋体の外周部を縁取りするように前記蓋体に装着して、前記蓋体と共に前記ボックス本体を、前記開口部内外を出入りできるように揺動可能に支持させ、
前記蓋体を前記トリム材の一部により構成したことを特徴とするコンソールボックス構造。
【請求項２】
前記取付け枠部は、前記蓋体の外周部全体を縁取りしたことを特徴とする請求項１記載のコンソールボックス構造。
【発明の詳細な説明】
【０００１】
【発明の属する技術分野】
本発明は、自動車のルーフ、ドア或いはラゲージルームサイド等の車室側を美装するトリム材に小物等を収容すべく設置するコンソールボックス構造に関する。
【０００２】
【従来の技術】
従来のこの種のコンソールボックス構造として、たとえば、図９及び図１０に示すようなものが知られている。
【０００３】
図９及び図１０によれば、車体ａのルーフ部ｂは、その車室側がルーフトリムｃによって美装されている。
【０００４】
そして、ルーフトリムｃの車体前方中央部に設置開口部ｄを形成して、設置開口部ｄに眼鏡などの小物入れとしてコンソールボックスｅを設置していた。
【０００５】
コンソールボックスｅは、開口部ｆを有するボックス本体ｇと開口部ｆを開閉する蓋体ｈとをユニット化して構成しており、蓋体ｈの先端部には、小物を収容する収容部ｉが形成されており、図９に示す蓋体ｈの開状態で、収容部ｉに小物を入れて、蓋体ｈを閉状態にすることによって当該小物を収容するように構成している。
【０００６】
【発明が解決しようとする課題】
しかしながら、従来のコンソールボックス構造においては、ルーフトリムｃとは別体に構成されたユニット構造になっていたために、特にルーフトリムｃの表面に表出する蓋体ｈとルーフトリムｃとの間に一体感を取るのが難しく、見栄えを劣化させていた。
【０００７】
そこで、本発明は、かかる点に鑑み、ルーフトリム等のトリム材と一体感を醸し出すべく工夫したコンソールボックス構造を提供することを目的としている。
【０００８】
【課題を解決するための手段】
上記目的を達成するために、本発明は、自動車の車室側を美装するトリム材に小物等を収容すべく設置するコンソールボックス構造において、トリム材に切欠き部を刻設することによって、トリム材の一部をその残部に連結されたまま形成されたヒンジ部を有する蓋体に形成すると共に、蓋体により形成されたトリム側の開口部ボックス本体を設置し、且つ、ボックス本体の周部に取付け枠部を形成し、取付け枠部を、蓋体の外周部を縁取りするように蓋体に装着して、蓋体と共にボックス本体を、開口部内外を出入りできるように揺動可能に支持させ、蓋体をトリム材の一部により構成したことを特徴とする。
【０００９】
したがって、本発明によれば、トリム材の一部で構成した蓋体をボックス本体の取付け枠部に縁取り装着して構成したことから、蓋体とトリム材とが一体感を醸し出し、見栄え向上に寄与することができる。
【００１０】
また、取付け枠部は、蓋体の外周部を縁取りすることにより、トリム材自体が剛性の低い材質（例えば、成形不織布体）の場合には、蓋体の補強としての機能を果たすことになる。
【００１１】
本発明の取付け枠部は、蓋体の外周部全体を縁取りすることにより、蓋体の剛性をさらにアップすることができる。
【００１２】
【発明の実施の形態】
以下、本発明における実施の形態について、図１乃至図８を用いて説明する。
【００１３】
図１は本発明に係る実施の形態のコンソールボックス構造の蓋体閉状態における自動車の前部天井を描画した斜視図、図２は、同じく蓋体開状態における斜視図、図３は図１のＡ−Ａ断面図、図４は図２の縦断面図、図５は図３のＢ−Ｂ断面図、図６は同じく分解斜視図、図７はコンソールボックス構造を設置する前のルーフトリムの一部を描画した斜視図、図８は図７のＣ−Ｃ断面図である。
【００１４】
図において、コンソールボックス構造は、眼鏡等の小物を収容する収容部１ａを有するボックス本体１と、ボックス本体１に形成された取付け枠６にその外周が縁取りされた蓋体２とを有して構成している。
【００１５】
蓋体２は、図７及び図８に示すように、自動車のルーフの車室側を美装するトリム材３の所定部位を略コ字状に刻設した切欠き部４内におけるトリム材３の一部で構成しており、蓋体２は、トリム材３の残部に連結されたままにすることによって形成されるヒンジ部５によって、開閉動可能に構成されている。
【００１６】
ボックス本体１は、平面視矩形状を呈してバスケット型の収容部１ａを有し、その外周部に収容部１ａの開口側を除く外周部に略コ字状の取付け枠部６が形成されている。
【００１７】
取付け枠部６は、ボックス本体１の内方に向け開口するチャンネル状を呈しており、蓋体２の外周部の一部或いはヒンジ部５を除く外周部の全体を嵌着させることにより、蓋体２の外周部を縁取りしている。
【００１８】
この結果、ボックス本体１は、蓋体２を介してトリム材３に装着されることになり、しかも、蓋体２がトリム材３の一部により構成されて、トリム材３との一体感を施されることになる。
【００１９】
トリム材３は、蓋体２の形成により開口部３ａが形成されることになるが、開口部３ａには、収納ボックス７が設けられている。
【００２０】
収納ボックス７は、そのフランジ部７ａが開口部３ａを囲繞するようにトリム材３の裏面側に形成された取付け爪部３ｂに係合することによりトリム材３に装着されている。
【００２１】
そして、ボックス本体１は、収納ボックス７内に収容されて、収納部１ａ内の小物を外部から見えないように収容することになる（図３の状態）。
【００２２】
又、ボックス本体１における収納部１ａの底部外壁には、ロック片１ｂが突設されていて、ロック片１ｂは、トリム材３の開口部３ａに係合することによりボックス本体１を蓋体２と共に開口部３ａ内に収納保持するように構成されている。
【００２３】
更に、ボックス本体１の端部外周側には、略Ｌ字状の摘み１ｃが形成されて、図３に示すボックス本体１の収納ボックス７への収容状態から、収容部７ａに収容された小物を取出したい場合には、摘み１ｃを使用し、ロック片１ｂの係合状態を外しながらヒンジ部５を中心に蓋体２を開動させて、ボックス本体１を図４の状態にする。
【００２４】
この結果、収納部７ａの開口側が上向きとなって、収納部７ａ内に収容された小物が取出し可能となる。
【００２５】
小物の取出し或いは収容作業が完了すれば、再び、ボックス本体１と共に蓋体２を閉動させ、ロック片１ｂを開口部３ａに係合して、図３に示す状態にすることになる。
【００２６】
上記のように構成する場合、トリム材３の一部で構成した蓋体２は、ボックス本体１の取付け枠部６により外周が縁取りされているとしても、縁取り部分を除く大部分がトリム材３により構成されていることになって、蓋体２とトリム材３とが一体感を醸し出し、見栄え向上に寄与することができる。
【００２７】
また、取付け枠部６は、蓋体２の外周部を縁取りしていることにより、トリム材３自体が剛性の低い材質（例えば、成形不織布体）の場合には、蓋体２の補強としての機能を果たすことになる。従って、蓋体２におけるヒンジ部５を除く外周部全体を取付け枠部６が縁取りすれば、ますます蓋体２の剛性をアップすることができる。
【００２８】
上記実施の形態において、トリム材３は、自動車のルーフの車室側を美装するトリム材すなわちルーフトリムとして構成したが、これに限定されるものでなく、例えば、自動車のドアの車室側を美装するドアトリム或いはラゲージルームサイドの車室側を美装するラゲージサイドトリム更には自動車のリアサイドの車室側を美装するリアサイドトリム等により構成してもよい。
【００２９】
なお、図中、８はルームミラー、９はルームライト、１０はサンバイザーをそれぞれ示している。
【００３０】
【発明の効果】
以上説明したように、本発明におけるトリム材の一部で構成した蓋体は、ボックス本体の取付け枠部により外周が縁取りされているとしても、縁取り部分を除く大部分がトリム材により構成されていることになって、蓋体とトリム材とが一体感を醸し出し、見栄え向上に寄与することができる。
【００３１】
本発明の取付け枠部は、蓋体の外周部を縁取りしていることから、トリム材自体が剛性の低い材質（例えば、成形不織布体）の場合には、蓋体の補強としての機能を果たすことになる。
【図面の簡単な説明】
【図１】本発明に係る実施の形態のコンソールボックス構造の蓋体閉状態における自動車の前部天井を描画した斜視図である。
【図２】同じく蓋体開状態における斜視図である。
【図３】図１のＡ−Ａ断面図である。
【図４】図２の縦断面図である。
【図５】図３のＢ−Ｂ断面図である。
【図６】同じく分解斜視図である。
【図７】コンソールボックス構造を設置する前のルーフトリムの一部を描画した斜視図である。
【図８】図７のＣ−Ｃ断面図である。
【図９】従来のコンソールボックス構造の蓋体開状態における自動車の前部天井を描画した斜視図である。
【図１０】同じく、コンソールボックス構造の分解斜視図である。
【符号の説明】
１　　ボックス本体
１ａ　収容部
２　　蓋体
３　　トリム材
３ａ　開口部
４　　切欠き部
５　　ヒンジ部
６　　取付け枠部
【図１】
2004017794.tif 000003
【図２】
2004017794.tif 000004
【図３】
2004017794.tif 000005
【図４】
2004017794.tif 000006
【図５】
2004017794.tif 000007
【図６】
2004017794.tif 000008
【図７】
2004017794.tif 000009
【図８】
2004017794.tif 000010
【図９】
2004017794.tif 000011
【図１０】
2004017794.tif 000012